(57)【要約】【課題】複数の記録媒体に渡って記録された映像信号等の情報を、容易に記録順に再生することが可能な情報記録再生装置を提供する。【解決手段】ディスク記録媒体１への記録動作の停止から予め決められた所定時間内にディスク記録媒体が交換されたことを検出し、ディスク記録媒体１の交換後に情報の記録が開始された場合に交換前のディスク記録媒体のディスクＩＤを交換後のディスク記録媒体に記録する。そうすることで、再生時には、ディスクＩＤを参照して記録順に再生することが可能となる。【選択図】図４
2007310993.tif 000002
【特許請求の範囲】
【請求項１】
交換可能な情報記録媒体に情報を記録又は再生する情報記録再生装置において、前記記録媒体への記録動作の停止から予め決められた時間内に前記記録媒体が交換されたことを検出する手段と、前記記録媒体の交換後に情報の記録が開始された場合に交換前の記録媒体の媒体ＩＤを交換後の記録媒体に記録する手段とを備えたことを特徴とする情報記録再生装置。
【請求項２】
再生時に装着された記録媒体に記録されている当該記録媒体の前に情報が記録された記録媒体を示す前媒体ＩＤが、前回再生された記録媒体の媒体ＩＤと異なる場合には、記録媒体の再生順序が異なることを報知することを特徴とする請求項１に記載の情報記録再生装置。
【請求項３】
前記記録媒体に記録する媒体ＩＤ数を制限することを特徴とする請求項１又は２に記載の情報記録再生装置。
【発明の詳細な説明】
【技術分野】
【０００１】
本発明は、光ディスク等の記録媒体に情報を記録又は再生する情報記録再生装置、特に、複数の記録媒体に渡って映像信号や音声信号等の情報を記録又は再生する場合の技術に関するものである。
【背景技術】
【０００２】
近年、映像信号や音声信号を記録するために、ＤＶやディスク記録媒体、半導体メモリ等様々記録媒体が用いられている。中でも、ＤＶＤディスクはハードディスクレコーダ等で記録再生され、映像分野では欠かせないものとなっている。最近では、ＤＶＤを記録媒体としたディスク記録再生装置が普及している。
【０００３】
ところで、例えば、片面一層８ｃｍＤＶＤディスク（１．４ＧＢ）を用いて撮影する場合には、標準モードで３０分程度しか記録できない。そのため、記録を続行するには、記録メディアの交換を余儀なくされることが多々ある。その際、記録メディアの交換回数が多くなると、記録メディアの前後関係が混乱し、後々記録メディアを整理するのに手間がかかってしまう。
【０００４】
このような状況下、例えば、特開２００２−２７３８９号公報には以下の装置が提案されている（特許文献１）。即ち、２つの着脱可能な記録メディアを同時に装着可能な機器において、一方の記録メディアのデータの書き込み余地がなくなると、他方の記録メディアのメモリＩＤがその記録メディアのリンク情報として書き込まれ、データの書き込み先が切り換えられる。そして、書き込まれたメモリＩＤを用いて正しい順序で再生するというものである。
【特許文献１】特開２００２−２７３８９号公報
【発明の開示】
【発明が解決しようとする課題】
【０００５】
特許文献１の技術は、複数の着脱可能な記録メディアを同時に装着する装置を前提とするものであり、カードリーダやディスクドライブ等の複数の記録メディアアクセス手段が必要である。
【０００６】
一方、近年において、例えば、民生用デジタルビデオカメラは、益々小型化、低コスト化が進んでいるため、同種の記録メディアアクセス手段を複数備えるのは、事実上困難である。そのため、特許文献１のものは、１つの記録メディアを装着する装置で記録メディアを交換して複数の記録メディアに渡って情報を記録する場合、記録メディアの前後関係が混乱する問題を解決するものではなかった。
【０００７】
本発明の目的は、複数の記録メディアアクセス手段を要することなく、複数の情報記録媒体に跨る情報の記録に対して、容易に正しい順序で再生することが可能な情報記録再生装置を提供することにある。
【課題を解決するための手段】
【０００８】
本発明は、記録媒体への記録動作の停止から予め決められた時間内に記録媒体が交換されたことを検出し、記録媒体の交換後に情報の記録が開始された場合に交換前の記録媒体の媒体ＩＤを交換後の記録媒体に記録する。即ち、本発明は、複数の情報記録媒体に渡って情報を記録する場合には、記録媒体を交換する毎に交換前の記録媒体の媒体ＩＤを順番に記録していく。
【発明の効果】
【０００９】
本発明によれば、情報記録媒体を交換しながら複数の記録媒体に渡って情報を記録する際に記録媒体に関連付けを行うことで、記録メディアの前後関係が混乱することはなく、容易に正しい順序で再生することが可能となる。そのため、本発明は、例えば、デジタルビデオカメラ等に好適に使用できる。
【発明を実施するための最良の形態】
【００１０】
次に、発明を実施するための最良の形態について図面を参照して詳細に説明する。図１は本発明に係る情報記録再生装置の一実施形態を示すブロック図である。図中１は光ディスク等のディスク記録媒体、２はディスク記録媒体１を回転駆動するスピンドルモータ、３はスピンドルモータ２を制御するモータ制御手段である。
【００１１】
４はディスク記録媒体１に映像データ等の情報を記録或いは記録データ、アドレス等の情報を再生する情報記録再生ヘッド、５は情報記録再生ヘッド４からセクタアドレス信号を読み出し、セクタアドレス信号をセクタアドレス値に変換したアドレス解読信号を出力するアドレス解読手段である。
【００１２】
６は記録時には記録データを変調後に情報記録再生ヘッド４に出力してディスク記録媒体１に情報を記録し、再生時には情報記録再生ヘッド４からディスク記録媒体１からの再生信号を読み出して復調する記録再生手段である。７はカメラ部（図示せず）から入力された映像信号を符号化して記録再生手段６に出力し、或いは記録再生手段６からの映像情報を復号化して後述の出力ユーザー・インターフェース部１０へ出力する映像信号符号化復号化手段である。
【００１３】
８は内蔵メモリであり、例えば、ディスク記録媒体１から読み出したディスク管理情報等をディスク記録媒体１の記録時或いは再生時に一時的に格納する。９はユーザからの記録、再生の開始、終了、任意の再生開始位置を装置に通知する入力ユーザー・インターフェース部、１０は映像信号をユーザに表示する出力ユーザー・インターフェース部、１１は装置各部をコントロールするコントローラである。
【００１４】
ディスクセンサ１４は着脱自在なディスク記録媒体1がスロット１２にセットされたことを検出する。スロットセンサ１６はスロット１２が開状態から閉状態に移行したことを検出する。コントローラ１１がディスク記録媒体１の装着を検出する場合には、ディスクセンサ１４でディスク記録媒体１がスロット１２にセットされたことが検出され、スロットセンサ１６でスロット１２の閉状態への移行が検出された時にその記録媒体１の装着を検出する。
【００１５】
図２はディスク管理情報の一例を示す。ディスク管理情報はディスク記録媒体１の管理領域に記録又はメモリ８に格納される。ディスク管理情報には、エリアＩＤ、エリアサイズ、データ数、ディスクＩＤ等が書かれている。１７は４バイトのエリアＩＤであり、例えば、”ＴＯＣ”が書かれている。
【００１６】
１８はエリアの全体のサイズをバイト数で表す。１９はベンダーＩＤで各ベンダーのＩＤが記録されている。２０は各ベンダー独自のバージョンを示す。これにより、ベンダー毎又はバージョン毎にフォーマットが変わっていたとしても、ベンダーＩＤとバージョンの違いから、各フォーマットに対応できる。
【００１７】
２１はディスク記録媒体１を識別するディスクＩＤで、各ディスク記録媒体１に固有のＩＤが付与されている。２２はデータの記録日時が記録され、データが最新かどうかを調べるのに必要となる。
【００１８】
２３はデータ記録時に複数枚に渡って記録された交換前の連続するディスク記録媒体の数を示し、以後１６バイト毎に１つのデータを示す。２４はディスクＩＤであり、複数枚のディスク記録媒体に渡ってデータを記録した場合の、それ以前のディスク記録媒体のディスクＩＤが記録順に記録される。記録可能なディスクＩＤの数には、メモリ容量の問題等があるので予め制限を設けておくのが良い。
【００１９】
次に、ディスクＩＤを記録する動作を説明する。図３はディスクＡ、ディスクＢ、ディスクＣという順番でディスク記録媒体を交換して、映像情報等の情報の記録動作を行った場合の処理を説明する図である。
【００２０】
まず、図３（ａ）に示すようにディスクＡが装着され、情報を記録していく。この時、ディスクＡのディスクＩＤを装置内の内蔵メモリに記録する。内蔵メモリは、図１のメモリ８である。
【００２１】
図３（ｂ）はディスクＡの記録領域が一杯の状態を示す。この時、ディスクＡの内周にある図示しない管理領域には何も記録しない。次に、図３（ｃ）に示すようにディスクＢが装着され、記録開始ボタンが押下されたら内蔵メモリに記憶させているディスクＡのディスクＩＤをディスクＢの内周の管理領域に記録する。また、ディスクＢのディスクＩＤを装置内の内蔵メモリに記録する。
【００２２】
図３（ｄ）はディスクＢの記録領域が一杯の状態を示す。この時、ディスクＢの内周にある管理領域にはディスクＡのディスクＩＤが記録されている。次に、図３（ｅ）に示すように３枚目のディスクＣが装着され、記録開始ボタンが押下されたら内蔵メモリに記憶させているディスクＢのディスクＩＤをディスクＣの管理領域に記録する。
【００２３】
このように映像信号や音声信号等を複数のディスク記録媒体に渡って記録する場合には、ディスク記録媒体を交換する毎にディスク管理領域に交換前のディスク記録媒体のディスクＩＤを順番に記録していく。
【００２４】
次に、図４に示すフローチャートを参照して記録時の動作を説明する。まず、コントローラ１１はＳ６０１でディスクセンサ１４とスロットセンサ１６の出力からディスク記録媒体１が挿入されたか否かを判定する。ディスク記録媒体１が挿入された場合には、S６０２で入力ユーザー・インターフェース９からのユーザ操作で記録開始ボタンが押下されたか否かを判定する。
【００２５】
この時、装着されているディスク記録媒体１のディスクＩＤをメモリ８に記憶させておく。次に、Ｓ６０３でユーザが記録停止ボタンを押下したり、或いはディスク容量が一杯になることによって記録動作が停止したか否かを判定する。Ｓ６０３で記録動作が停止した場合には、Ｓ６０４でコントローラ１１内に設けられたタイムカウンタ１５によりタイムカウントを開始する。
【００２６】
次に、Ｓ６０５で予め設定しておいた所定時間（例えば１分）に対して、コントローラ１１内のタイムカウンタ１５の値が所定時間以内か否かを判定する。タイムカウンタ１５の値が所定時間内の場合には、Ｓ６０６へ進み、ディスクセンサ１４とスロットセンサ１６の出力からディスク記録媒体1が着脱されたかを判定する。
【００２７】
また、Ｓ６０６においてディスク記録媒体の管理情報を読み出し、そのディスクＩＤとＳ６０２で記憶しておいた交換前のディスク記録媒体のディスクＩＤを比較することでディスク記録媒体が交換されたか否かを判定する。
【００２８】
ディスク記録媒体が交換されたら、Ｓ６０７で記録開始ボタンが押下されたか否かを判定する。記録開始ボタンが押下された場合には、Ｓ６０８に進み、上述のように内蔵メモリ８に記憶させておいた交換前のディスクＩＤ（前ディスクＩＤという）をディスク記録媒体１の内周側の管理領域に記録して、処理を終了する。前ディスクＩＤの記録方法は図３で説明した通りである。
【００２９】
本実施形態で、ディスク記録媒体の記録動作停止後、所定時間内にディスク記録媒体が交換され、記録開始ボタンが押下されたら交換前のディスク記録媒体から交換後のディスク記録媒体に跨って映像信号や音声信号等が記録されていると判断する。その場合には、上述のように交換前のディスク記録媒体のディスクＩＤを交換後のディスク記録媒体の管理領域に記録する。そうすることで、複数のディスク記録媒体に渡って情報を記録する場合、ディスク記録媒体の管理領域に交換前のディスク記録媒体のディスクＩＤを順番に記録していく。
【００３０】
次に、図５に示すフローチャートを参照して再生時の動作を説明する。まず、コントローラ１１はＳ７０１でディスクセンサ１４とスロットセンサ１６の出力からディスク記録媒体１が挿入されたか否かを判定する。ディスク記録媒体１が挿入されると、Ｓ７０２に進み、ディスク記録媒体1の管理領域をリードして前ディスクＩＤが記録されているか否かを判定する。
【００３１】
Ｓ７０２で前ディスクＩＤが記録されていない場合には、Ｓ７０５で装置内のメモリ８に設けられた再生ディスク履歴のディスクＩＤをクリアする。再生ディスク履歴とは、その装置においてこれまで再生してきたディスク記録媒体のディスクＩＤを再生順に記録したものをいう。
【００３２】
その後、Ｓ７０６でディスク記録媒体１のディスクＩＤを再生ディスク履歴に記録し、入力ユーザー・インターフェース９からのユーザ操作により指定されたファイルの再生を開始する。
【００３３】
一方、Ｓ７０２でディスク記録媒体１に前ディスクＩＤが記録されている場合には、Ｓ７０３へ進み、ディスク記録媒体１に記録されている前ディスクＩＤとメモリ８に設けられた再生ディスク履歴の最新のディスクＩＤとが等しいか否かを判定する。即ち、このことは、複数のディスク記録媒体に渡って記録された情報を正しい順序で再生しているかを判定するものである。
【００３４】
例えば、図３に示すようにディスクＡ、Ｂ、Ｃの順序で情報が記録され、今、図３（ｃ）に示すように装置にディスクＢが装着されたとする。その場合、ディスクＢには前ディスクＩＤであるＡが記録されている。
【００３５】
その際、再生ディスク履歴の最新ディスクＩＤがＡであれば、前ディスクＩＤであるＡと等しいため、前回再生したディスク記録媒体がディスクＡであることが分かる。即ち、今回ディスクＢを再生する場合には、前回ディスクＡが再生され、次にディスクＢを再生するため、正しい順序で再生することが分かる。
【００３６】
Ｓ７０３でディスク記録媒体１の前ディスクＩＤと再生ディスク履歴の最新のディスクＩＤとが等しい場合には、Ｓ７０６へ進む。そして、ディスク記録媒体１のディスクＩＤを再生ディスク履歴に記録して、入力ユーザー・インターフェース９からのユーザ操作により指定されたファイルの再生を開始する。
【００３７】
一方、Ｓ７０３で、前ディスクＩＤと再生ディスク履歴の最新ディスクＩＤとが等しくない場合には、正しい順序でディスク記録媒体を再生していないと判定し、Ｓ７０４に進む。そして、例えば、前ディスクＩＤを表示すると共に、“前に続きがあります”等のメッセージを図示しない表示部に表示後、入力ユーザー・インターフェース９からのユーザ操作により再生を行う。
【００３８】
本実施形態では、ディスク記録媒体を交換しながら複数のディスク記録媒体に渡って映像信号等を記録する際に、交換前のディスクＩＤを記録中のディスク記録媒体に記録することでディスク記録媒体の関連付けを行う。そのため、複数のディスク記録媒体に渡って記録された情報を再生する場合、記録メディアの前後関係が混乱することはなく、容易に記録順にディスク記録媒体を再生することが可能となる。
【図面の簡単な説明】
【００３９】
【図１】本発明に係る情報記録再生装置の一実施形態を示すブロック図である。
【図２】本発明で用いる管理情報の一例を示す図である。
【図３】本発明に係るディスクＩＤを記録する処理を説明する図である。
【図４】本発明に係るディスク記録時の動作を説明するフローチャートである。
【図５】本発明に係るディスク再生時の動作を説明するフローチャートである。
【符号の説明】
【００４０】
１  ディスク記録媒体
２  スピンドルモータ
３  モータ制御手段
４  情報記録再生ヘッド
５  アドレス解読手段
６  記録再生手段
７  映像信号符号化復号化手段
８  メモリ
９  入力ユーザー・インターフェース
１０  出力ユーザー・インターフェース
１１  コントローラ
１２  スロット
１４  ディスクセンサ
１５  タイムカウンタ
１６  スロットセンサ
【図１】
2007310993.tif 000003
【図２】
2007310993.tif 000004
【図３】
2007310993.tif 000005
【図４】
2007310993.tif 000006
【図５】
2007310993.tif 000007